(57)【要約】  マクロ・ネットワークに関連したビジター・アクセス端末（ＡＴ）がアクセス・ポイント（ＡＰ）基地局のカバレッジ・エリアに入ることに応答して、ビジターＡＴを取り扱うための装置および方法が提供される。１つのアプローチでは、この方法は、ＡＰ基地局に対するビジターＡＴの登録を許容しかつその登録に関する情報をマクロ・ネットワークに転送することを含む。ビジターＡＴの活性化にともなって、ビジターＡＴとマクロ・ネットワークの間の通信は、例えば、ＡＰ基地局を経由してビジターＡＴにページング要求を転送することによって促進されうる。
2010541483.tif 000002
【特許請求の範囲】
【請求項１】
マクロ。ネットワークと関連したビジター・アクセス端末を取り扱うための方法であって、
前記ビジターＡＴがアクセス・ポイント（ＡＰ）基地局のカバレッジ・エリアに入ることおよびアイドル・モード時にキャリア・チャネル上に存在することを許容すること、および、
前記ビジターＡＴの活性化にともなって、前記ビジターＡＴと前記マクロ・ネットワークとの間の通信を促進すること、
を含む方法。
【請求項２】
前記許容することは、
前記マクロ・ネットワークに対応するマクロ・ネットワーク・ゾーンとは異なる前記ＡＰ基地局に対するゾーンを定義すること、
前記ＡＰ基地局に対する前記ビジターＡＴの登録を可能にすること、および、
前記登録に関する登録情報を前記マクロ・ネットワークに転送すること、
を含む請求項１の方法。
【請求項３】
前記促進することは、
前記登録情報に少なくとも一部基づいて、前記ＡＰ基地局を通じて前記ビジターＡＴにページング要求を転送すること、
を含む請求項２の方法。
【請求項４】
前記促進することは、
前記ビジターＡＴから接続要求を受信すること、
前記接続要求と前記ビジターＡＴから受信された無線環境報告を前記マクロ・ネットワークに送信すること、
前記マクロ・ネットワークからチャネル割当て情報を受信すること、前記チャネル割当て情報は前記ビジターＡＴに対するマクロ・キャリア・チャネルをさらに含むこと、および、
前記チャネル割当て情報を前記ビジターＡＴに転送すること、
をさらに含む請求項１の方法。
【請求項５】
前記ビジターＡＴに対する前記マクロ・キャリア・チャネルは、前記キャリア・チャネルとは異なる請求項４の方法。
【請求項６】
アイドル・モード時にマクロ・ネットワークと関連したビジターＡＴがアクセス・ポイント基地局のカバレッジ・エリアに入ることおよびアイドル・モード時にキャリア・チャネル上に存在することを許容するための手段、および、
前記ビジターＡＴの活性化にともなって、前記ビジターＡＴと前記マクロ・ネットワークとの間の通信を促進するための手段、
を具備する装置。
【請求項７】
前記許容するための手段は、
前記マクロ・ネットワークに対応するマクロ・ネットワーク・ゾーンとは異なる前記ＡＰ基地局に対するゾーンを定義するための手段、
前記ＡＰ基地局に対する前記ビジターＡＴの登録を可能にするための手段、および、
前記登録に関する登録情報を前記マクロ・ネットワークに転送するための手段、
を具備する請求項６の装置。
【請求項８】
前記促進するための手段は、
前記登録情報に少なくとも一部基づいて、前記ＡＰ基地局を通じて前記ビジターＡＴにページング要求を転送するための手段を具備する請求項７の装置。
【請求項９】
前記促進するための手段は、
前記ビジターＡＴから接続要求を受信するための手段、
前記接続要求と前記ビジターＡＴから受信された無線環境報告を前記マクロ・ネットワークに送信するための手段、
前記マクロ・ネットワークからチャネル割当て情報を受信するための手段であって、前記チャネル割当て情報が前記ビジターＡＴに対するマクロ・キャリア・チャネルをさらに含む手段、および、
前記ビジターＡＴに前記チャネル割当て情報を転送するための手段、
をさらに具備する請求項６の装置。
【請求項１０】
前記ビジターＡＴに対する前記マクロ・キャリア・チャネルは前記キャリア・チャネルとは異なる請求項９の装置。
【請求項１１】
コンピュータ・プログラム製品であって、
マクロ・ネットワークに関連したビジターＡＴがアクセス・ポイント基地局のカバレッジ・エリアに入ることおよびアイドル・モード時にキャリア・チャネル上に存在することをコンピュータに許容させるためのコード、および、
前記ビジターＡＴの活性化にともなって、前記ビジターＡＴと前記マクロ・ネットワークとの間の通信を前記コンピュータに促進させるためのコード、
を具備したコンピュータ読取り可能媒体を含むコンピュータ・プログラム製品。
【請求項１２】
マクロ・ネットワークに関連したビジターＡＴを取り扱うための方法であって、
アイドル・モード時に前記ビジターＡＴがキャリア・チャネル上に存在することを許容すること、
前記ビジターＡＴの登録を可能にすること、
前記登録に関する登録情報を前記マクロ・ネットワークに転送すること、および、
前記ビジターＡＴの活性化にともなって、前記ビジターＡＴと前記マクロ・ネットワークとの間の通信を促進すること、
を具備する方法。
【請求項１３】
前記促進することは、前記登録情報に少なくとも一部基づいて前記ビジターＡＴにページング要求を転送することを含む請求項１２の方法。
【請求項１４】
前記ビジターＡＴからの接続要求を受信することに応答して、前記接続要求と前記ビジターＡＴから受信した無線環境報告を前記マクロ・ネットワークに送信すること、
前記マクロ・ネットワークからチャネル割当て情報を受信すること、前記チャネル割当て情報は前記ビジターＡＴに対するマクロ・キャリア・チャネルを含むこと、および、
前記ビジターＡＴに前記チャネル割当て情報を転送すること、
をさらに具備する請求項１２の方法。
【請求項１５】
前記ビジターＡＴに対する前記マクロ・キャリア・チャネルは前記キャリア・チャネルとは異なる請求項１４の方法。
【請求項１６】
マクロ・ネットワークに関連したビジターＡＴを取り扱うための装置であって、
アイドル・モード時に前記ビジターＡＴがキャリア・チャネル上に存在することを許容するための手段、
前記ビジターＡＴの登録を可能にするための手段、
前記登録に関する登録情報を前記マクロ・ネットワークに転送するための手段、および、
前記ビジターＡＴの活性化にともなって、前記ビジターＡＴと前記マクロ・ネットワークとの間の通信を促進するための手段、
を具備する装置。
【請求項１７】
前記促進するための手段は、前記登録情報に少なくとも一部基づいて前記ビジターＡＴにページング要求を転送するための手段を具備する請求項１６の装置。
【請求項１８】
前記ビジターＡＴから接続要求を受信するための手段、
前記接続要求と前記ビジターＡＴから受信された無線環境報告を前記マクロ・ネットワークに送信するための手段、
前記マクロ・ネットワークからチャネル割当て情報を受信するための手段、
前記マクロ・ネットワークからチャネル割当て情報を受信するための手段であって、前記チャネル割当て情報が前記ビジターＡＴに対するマクロ・キャリア・チャネルを含む手段、および、
前記ビジターＡＴに前記チャネル割当て情報を転送するための手段、
をさらに具備する請求項１６の装置。
【請求項１９】
前記ビジターＡＴに対する前記マクロ・キャリア・チャネルは前記キャリア・チャネルとは異なる請求項１８の装置。
【請求項２０】
マクロ・ネットワークに関連したビジターＡＴとの通信リンクを支持するトランシーバー、
前記トランシバーと動作的通信状態にある少なくとも１つのプロセッサ、
前記少なくとも１つのプロセッサと動作的通信状態にありかつ前記少なくとも１つのプロセッサが
前記ビジターＡＴがアクセス・ポイント（ＡＰ）基地局のカバレッジ・エリアに入ることに応答して、アイドル・モード時に前記ビジターＡＴがキャリア・チャネル上に存在する、および
前記ビジターＡＴの活性化にともなって、前記ビジターＡＴと前記マクロ・ネットワークとの間の通信を促進するための実行可能なコードを含むメモリ、
を具備する無線通信装置。
【請求項２１】
前記実行可能なコードは、
前記少なくとも１つのプロセッサが
前記マクロ・ネットワークに対応するマクロ・ネットワーク・ゾーンとは異なる前記ＡＴ基地局に対するゾーンを定義する、
前記ＡＰ基地局に対する前記ビジターＡＴの登録を可能にする、および、
前記登録に関する登録情報を前記マクロ・ネットワークに転送する
ための命令を含む請求項２０の装置。
【請求項２２】
前記少なくとも１つのプロセッサは、前記登録情報に少なくとも一部基づいて前記ＡＰ基地局を通じて前記ビジターＡＴにページング要求を転送することによって、前記ビジターＡＴと前記マクロ・ネットワークとの間の通信を促進する請求項２１の装置。
【請求項２３】
前記少なくとも１つのプロセッサは、
前記ビジターＡＴから接続要求を受信すること、
前記接続要求と前記ビジターＡＴから受信された無線環境報告を前記マクロ・ネットワークに送信すること、
前記マクロ・ネットワークから、前記ビジターＡＴに対するマクロ・キャリア・チャネルを含むチャネル割当て情報を前記マクロ・ネットワークから受信すること、および、
前記チャネル割当て情報を前記ビジターＡＴに転送すること、
によって、前記ビジターＡＴと前記マクロ・ネットワークとの間の通信を促進する請求項２０の装置。
【請求項２４】
前記ビジターＡＴに対する前記マクロ・キャリア・チャネルは前記キャリア・チャネルとは異なる請求項２２の装置。
【請求項２５】
アイドル・モード時に、マクロ・ネットワークに関連したビジターＡＴがキャリア・チャネル上に存在することをコンピュータに許容させるためのコード、
前記ビジターＡＴの登録を前記コンピュータに可能にさせるためのコード、
前記登録に関する登録情報を前記マクロ・ネットワークに転送することを前記コンピュータにさせるためのコード、および、
前記ビジターＡＴの活性化にともなって、前記ビジターＡＴと前記マクロ・ネットワークとの間の通信を促進することを前記コンピュータにさせるためのコード、
を含むコンピュータ読取り可能媒体を具備するコンピュータ・プログラム製品。
【請求項２６】
アクセス・ポイント（ＡＰ）基地局を経由してマクロ・ネットワークと通信するための方法であって、
前記ＡＰ基地局のカバレッジ・エリアに入ると、アイドル・モード時にキャリア・チャネル上に存在すること試みること、
前記アイドル・モードから活性化モードへの切り替えに応答して、前記ＡＰ基地局に接続要求を送信すること、前記ＡＰ基地局は前記マクロ・ネットワークに前記接続要求を転送するように適合されること、および、
無線環境報告（ＲＥＲ）を前記ＡＰ基地局に送信すること、前記ＡＰ基地局は前記ＲＥＲを前記マクロ・ネットワークに転送するようにさらに適合されること、
を備える方法。
【請求項２７】
前記マクロ・ネットワークから前記ＡＰ基地局を経由してページング要求を受信することをさらに具備する請求項２６の方法。
【請求項２８】
前記マクロ・ネットワークから前記ＡＰ基地局を経由してチャネル割当て情報を受信することをさらに具備する請求項２６の方法。
【請求項２９】
前記チャネル割当て情報は、前記ビジターＡＴに対するマクロ・キャリア・チャネルを含む請求項２８の方法。
【請求項３０】
前記ビジターＡＴに対する前記マクロ・キャリア・チャネルは前記キャリア・チャネルとは異なる請求項２９の方法。
【請求項３１】
マクロ・ネットワークに関連した無線通信装置であって、
アクセス・ポイント（ＡＰ）基地局のカバレッジ・エリアに入ると、アイドル・モード時にキャリア・チャネル上に存在するための手段、
前記アイドル・モードから活性化モードへの切り替えに応答して、前記ＡＰ基地局に接続要求を送信するための手段であって、前記ＡＰ基地局が前記マクロ・ネットワークに前記接続要求を転送するように適合される手段、および、
前記ＡＰ基地局に無線環境報告（ＲＥＲ）を送信するための手段であって、前記ＡＰ基地局は前記マクロ・ネットワークに前記ＲＥＲを転送するようにさらに適合される手段、
を具備する装置。
【請求項３２】
前記マクロ・ネットワークから前記ＡＰ基地局を経由してページング要求を受信するための手段をさらに具備する請求項３１の装置。
【請求項３３】
記マクロ・ネットワークから前記ＡＰ基地局を経由してチャネル割当て情報を受信するための手段をさらに具備する請求項３１の装置。
【請求項３４】
前記チャネル割当て情報は、前記ビジターＡＴに対するマクロ・キャリア・チャネルを含む請求項３３の装置。
【請求項３５】
前記ビジターＡＴに対するマクロ・キャリア・チャネルは、前記キャリア・チャネルとは異なる請求項３４の装置。
【請求項３６】
マクロ・ネットワークに関連した無線通信装置であって、
アクセス・ポイント（ＡＰ）基地局との通信を支持するトランシーバー、
前記トランシーバーと動作的通信状態にある少なくとも１つのプロセッサ、
少なくとも１つのプロセッサと動作的通信状態にあるメモリであって、前記少なくとも１つのプロセッサが、
前記ＡＰ基地局のカバレッジ・エリアに入ると、アイドル・モード時にキャリア・チャネル上に存在することを試みる、
前記アイドル・モードから活性化モードへの切り替えに応答して、前記ＡＰ基地局に接続要求を送信する、前記ＡＰ基地局は前記接続要求を前記マクロ・ネットワークに転送するように適合される、および、
前記ＡＰ基地局に無線環境報告（ＲＥＲ）を送信するように前記トランシバーに命令する、前記ＡＰ基地局は前記無線環境報告を前記マクロ・ネットワークに転送するようにさらに適合される、
ための実行可能なコードを含むメモリ、
を具備する装置。
【請求項３７】
前記トランシーバーは、前記マクロ・ネットワークから前記ＡＰ基地局を経由してページング要求を受信するように適合される請求項３１の装置。
【請求項３８】
前記トランシーバーは、前記マクロ・ネットワークから前記ＡＰ基地局を経由してチャネル割当て情報を受信するように適合される請求項３１の装置。
【請求項３９】
前記チャネル割当て情報は、前記ビジターＡＴに対するマクロ・キャリア・チャネルを含む請求項３８の装置。
【請求項４０】
前記ビジターＡＴに対する前記マクロ・キャリア・チャネルは前記キャリア・チャネルとは異なる請求項３９の装置。
【請求項４１】
アクセス・ポイント（ＡＰ）基地局のカバレッジ・エリアに入ると、アイドル・モード時に、キャリア・チャネル上に存在するようにコンピュータにさせるためのコード、
前記アイドル・モードから活性化モードへの切り替えに応答して、前記ＡＰ基地局に接続要求を送信するように前記コンピュータにさせるためのコード、前記ＡＰ基地局は前記接続要求を前記マクロ・ネットワークに転送するように適合される、および
前記ＡＰ基地局に無線環境報告（ＲＥＲ）を送信するように前記コンピュータにさせるためのコード、前記ＡＰ基地局は前記ＲＥＲを前記マクロ・ネットワークに転送するように適合される。
を具備するコンピュータ読取り可能媒体を含むコンピュータ・プログラム製品。
【発明の詳細な説明】
【技術分野】
【０００１】
本特許出願は、２００７年１０月１日に出願され、本出願の譲受人に譲渡された「アクセス・ポイント基地局にキャンプしたユーザ装置の取り扱いを容易にするためのシステムおよび方法」という名称であり、ここに参照により明示的に取り入れらる仮出願第６０／９７６７４１号に対する優先権を主張する。
【０００２】
本出願は、無線通信に関し、さらに詳細には、関連しないアクセス・ポイント基地局に対するアクセス端末のキャンピング（camping）およびアクセス端末によって開始される接続要求（connection requests）の取り扱いを促進するための方法およびシステムに関する。
【背景技術】
【０００３】
無線通信システムは、複数のユーザに種々のタイプの通信（例えば、音声、データ、マルチメディア・サービスなど）を提供するために広く展開される。高レートおよびマルチメディア・データ・サービスの需要が急速に増大するとともに、増強されたパフォーマンスを備えた効率的で強固な通信システムをインプリメントするという挑戦が存在する。
【０００４】
近年、ユーザは、固定ライン通信を移動体通信に代え始めており、優れた音声品質、信頼できるサービス、そして低価格をますます求めてきている。現在適所にある移動体電話ネットワームに加えて、新しいクラスの小さな基地局が出現しており、そらの基地局は、ユーザの家庭に設置され、既存の広帯域インターネット回線を使用して、モバイル装置に屋内無線カバレッジを提供することができる。そのような個人用の小型基地局は、ホーム・ノードＢ（ＨＮＢ）ユニット、フェムト・セル、フェムト基地局（ｆＢＳ）、基地局あるいは基地局トランシーバー・システム（ＢＴＳ）とも呼ばれるアクセス・ポイント（ＡＰ）基地局として一般に知られている。典型的には、そのような小型基地局は、デジタル加入者線（ＤＳＬ）ルータまたはケーブル・モデムによってインターネットおよび携帯電話会社のネットワークに接続され、フェムト・ネットワーク（つまりＡＰ基地局かフェムト・セルのネットワーク）と呼ばれる小規模なネットワーク環境を可能にする。
【０００５】
ＡＰ基地局は、マクロ・ネットワーク（macro network）（すなわちノンフェムト・セルのネットワーク）に対する通常の基地局サポートが弱いか、利用不可能である（例えば屋内、遠隔位置、等）ところで、セルラー・アクセスを可能にする。ＡＰ基地局は、デジタル加入者線（ＤＳＬ）、ケーブル・インターネット・アクセス、Ｔ１／Ｔ３、等のようなブロードバンド・バックホール・リンク（broadband backhaul link）によって無線サービス・プロバイダに接続し、かつ基地トランシーバ局（ＢＴＳ）技術、無線ネットワーク・コントローラ、およびゲートウエイ・サポート・ノードのような典型的な基地局機能性を提供する小型基地局として記述されうる。これは、セルラー／モバイル・デバイスまたはハンドセット、あるいはユーザ装置（ＵＥ）とも呼ばれるアクセス端末（ＡＴ）がＡＰ基地局に接続して無線サービスを利用できるようにする。ＡＴは、セルラー電話、スマートフォン、ラップトップ、携帯用通信装置、ハンドヘルド・コンピューティング・デバイス、衛星ラジオ、ナビゲーション機器、ＰＤＡ、および／または無線通信システム上で通信するための他の任意適当な装置を含みうることが注目される。
【０００６】
要するに、ＡＰ基地局は、特に通常の基地局サポートが信頼できないときに、ＡＴがマクロ・ネットワークと通信するための他の方法を提供する。しかし、ＡＰ基地局の所有者は、通常、自分のＡＰ基地局に対するアクセスを、例えば、自分のＡＴおよび自分が特に許可したＡＴのようなＡＰ基地局と関連したＡＴに制限するであろう。ビジターＡＴ（visitor AT）（すなわち、いかなるＡＰ基地局とも関連していないＡＴ、またはそれの関連ＡＰ基地局のカバレッジ・エリア内に現在いないＡＴ）が、それが関連していない所与のＡＰ基地局のカバレッジ・エリアに入りうる場合がある。その所与のＡＰ基地局がマクロ・ネットワークと同じキャリア・チャネル上で展開されている場合のようなある状況では、ビジターＡＴは、そのビジターＡＴが使用されていない（idle）所定ＡＰ基地局のカバレッジ・エリア内にキャンプ（camp）することがありうる。ビジターＡＴは、それの現在位置の表示をマクロ・ネットワークに提供しないかもしれないから、そのビジターＡＴはマクロ・ネットワークによって到達できないかもしれない。したがって、関連しないＡＰ基地局のカバレッジ・エリア内にキャンプしたビジターＡＴを取り扱うための技法に対する必要性が存在する。
【発明の概要】
【０００７】
下記は、１つまたは複数の実施形態についての基本的な理解を提供するために、そのような実施形態の単純化された概要を提示する。この概要は、すべての意図された実施形態の広範な概観ではなくて、重要なまたは重大な要素を識別こともあるいは任意のまたはすべての実施形態の範囲を明確にすることも意図されていない。それの唯一の目的は、後で提示されるさらに詳細な記述の前置きとして、単純化された形式で１つまたは複数の実施形態のいくつかの概念を提示することである。
【０００８】
１つまたは複数の実施形態およびそれの対応する開示に従って、種々の態様が、マクロ・ネットワークに関連したビジター・アクセス端末（ＡＴ）の扱いに関して記述される。特に、ビジターＡＴがアクセス・ポイント（ＡＰ）基地局のカバレッジ・エリアに入りかつアイドル・モード時にキャリア・チャネル上に存在することを許容するための方法およびシステムがここに記述される。ビジターＡＴとマクロ・ネットワークの間の通信は、ビジターＡＴの活性化にともなって、１つまたは複数の方法で促進されうる。
【０００９】
例えば、そのような通信は、ＡＰ基地局を通じてビジターＡＰにページング要求（paging request）を転送することにより促進されてもよい。代案として、あるいは追加として、そのような通信は、ビジターＡＰから接続要求を受け取ると、接続要求とビジターＡＴからマクロ・ネットワークに受け取られたラジオ環境報告書（ＲＥＲ）を送信することによって、促進されうる。マクロ・ネットワークからチャネル割当て情報を受け取ると、その情報はビジターＡＴへ転送されうる。
【００１０】
関連した態様によれば、マクロ・ネットワークに関連したビジターＡＴを備えた通信リンクをサポートするトランシーバー；トランシーバーと動作的通信（operative communication）状態にある少なくとも１つのプロセッサ；および少なくとも１つのプロセッサと動作的通信状態にあるメモリ、を含む無線通信装置が提供される。メモリは、その少なくとも１つのプロセッサが、（ａ）ＡＰ基地局のカバレッジ・エリアを入力するビジターＡＴに応じて、ビジターＡＴがアイドル・モードの場合にキャリア・チャネル上に存在することを許容し；そして（ｂ）ビジターＡＴの活性化にともなって、ビジターＡＴとマクロ・ネットワークの間の通信を促進するための実行可能なコードを含んでもよい。
【００１１】
例えば、その実行可能なコードは、少なくとも１つのプロセッサが、（ａ）マクロ・ネットワークに対応するマクロ・ネットワーク・ゾーンと異なるＡＰ基地局のためのゾーンを定義し；（ｂ）ＡＰ基地局に対するビジターＡＴの登録を可能にし；そして（ｃ）その登録に関する登録情報をマクロ・ネットワークへ転送するための命令を含んでもよい。代案として、あるいは追加として、少なくとも１つのプロセッサは、少なくとも部分的に登録情報に基づいて、ＡＰ基地局を通じてビジターＡＴにページング要求（paging request）を転送することによって、ビジターＡＴとマクロ・ネットワークとの間の通信を促進するように適合されうる。
【００１２】
他の例では、少なくとも１つのプロセッサは、ビジターＡＴから接続要求を受信し、その接続要求とビジターＡＴからマクロ・ネットワークに受信されたＲＥＲをマクロ・ネットワークに送信することによって、ビジターＡＴとマクロ・ネットワークの間の通信を促進してもよい。少なくとも１つのプロセッサは、マクロ・ネットワークからチャネル割当て情報を受信するように適合されてもよく、そのチャネル割当て情報はビジターＡＴに対するマクロ・キャリア・チャネルを含む。少なくとも１つのプロセッサは、チャネル割当て情報をビジターＡＴへ転送するようにさらに適合されてもよい。
【００１３】
他の関連した態様によれば、ＡＰ基地局のカバレッジ・エリア内にキャンプするビジターＡＴを取り扱うための装置が提供される。そのような装置は、通信端末、デバイスまたはＡＰ内で使用するための通信端末またはデバイス、あるいはプロセッサまたは同様のデバイスのいずれかとして構成されてもよい。その装置は、ビジターＡＴがアイドル・モードにある場合にキャリア・チャネル上に存在することを許容するための手段、およびそのビジターＡＴの登録を可能にするための手段を含んでいてもよい。その装置は、その登録に関する登録情報をマクロ・ネットワークに転送するための手段、およびビジターＡＴの活性化にともなって、そのビジターＡＴとマクロ・ネットワークとの間の通信を促進するための手段をさらに含んでもよい。
【００１４】
促進手段は、少なくとも部分的に登録情報に基づいてページング要求をビジターＡＴへ転送するための手段を含んてもよい。代案として、あるいは追加として、促進手段は、ビジターＡＴから接続要求を受け取るための手段、およびその接続要求とビジターＡＴから受信されたＲＥＲをマクロ・ネットワークに送信するための手段を備えてもよい。促進手段は、マクロ・ネットワークからチャネル割当て情報を受信するための手段をさらに備えてもよく、ここにおいて、チャネル割当て情報は、ビジターＡＴのためのマクロ・キャリア・チャネルをさらに含む。促進手段は、チャネル割当て情報をビジターＡＴへ転送するための手段をさらに備えてもよい。
【００１５】
さらに他の関連した態様によれば、ＡＰ基地局経由でマクロ・ネットワークと通信するための装置が提供される。その装置は、通信端末またはデバイス、あるいはプロセッサまたは通信端末内での使用のための同様のデバイスとして構成されうる。その装置は、ＡＰ基地局のカバレッジ・エリアに入ると、アイドル・モード時に、キャリア・チャネル上に存在するための手段、およびアイドル・モードから活性化モードへの切り替えに応じて接続要求をＡＰ基地局に送るための手段を含んでもよい。ＡＰ基地局は、接続要求をマクロ・ネットワークへ転送するように適合されうる。その装置は、ＲＥＲをＡＰ基地局へ送信するための手段をさらに含んでいてもよい。ＡＰ基地局は、ＲＥＲをマクロ・ネットワークへ転送するようにさらに適合されてもよい。この装置は、ＡＰ基地局経由でマクロ・ネットワークからページング要求（paging request）を受け取るように適合されうる受け取り手段を含んでいてもよい。代案として、あるいは追加として、受取り手段は、ＡＰ基地局経由でマクロ・ネットワークからチャネル割当て情報を受け取るように適合されうる。
【００１６】
上記のおよび関連した目的の達成のために、この１つまたは複数の実施の形態は、下記に十分に記述されかつ特に請求項において指摘される特徴を具備する。.下記の説明および詳細に開示された添付図面は、１つまたは複数の実施の形態の事例的な態様を含む。しかし、これらの態様は、種々の実施形態の原理が使用されうる種々の方法のうちの幾つかを示すにすぎず、記述された実施の形態は、それらの態様のすべておよびそれらの均等物を含むように意図されている。
【図面の簡単な説明】
【００１７】
【図１】図１は、例示的な無線通信システムを例示している。
【図２】図２は、ここで説明される種々の大要による無線通信システムの図示である。
【図３】図３は、ネットワーク環境内におけるアクセスポイント（ＡＰ）基地局の展開を可能にするための例示的な通信システムを示す。
【図４】図４は、ＡＰ基地局のカバレッジ・エリア内にキャンプしたビジター・アクセス端末（ＡＴ）を取り扱うための方法の１つの実施形態を示す。
【図５】図５は、ＡＰ基地局のカバレッジ・エリア内にキャンプしたビジターＡＴを取り扱う方法の他の実施形態を示す。
【図６】図６は、ＡＰ基地局のカバレッジ・エリア内にキャンプしたビジターＡＴを取り扱うための方法のさらに他の実施形態を示す。
【図７】図７は、ＡＰ基地局経由でマクロ・ネットワークと通信するための例示的な方法を示す。
【図８Ａ】図８Ａは、ＡＰ基地局のカバレッジ・エリア内にキャンプしたビジターＡＴを取り扱うための装置の１つの実施形態を示す。
【図８Ｂ】図８Ｂは、図８Ａに示された装置のいくつかの例示態様の簡略ブロック図である。
【図９】図９は、ＡＰ基地局のカバレッジ・エリア内にキャンプしたビジターＡＴを取り扱うための装置の他の実施形態を示す。
【図１０】図１０は、ＡＰ基地局経由でマクロ・ネットワークと通信するための例示的な装置を示す。
【詳細な説明】
【００１８】
全体にわたって同様の要素を示すために同様の参照番号が使用されている図面を参照して、種々の実施の形態が記述される。下記の記述では、説明の目的で、１つまたは複数の実施形態についての完全な理解を提供するために、多数の具体的な詳細が説明される。しかし、このような実施の形態は、これらの具体的な詳細なしで実施されうることは明白であろう。他の事例では、１つまたは複数の実施形態の記述を容易にするために、公知の構成および装置がブロック図で示される。
【００１９】
前述のように、ＡＰ基地局とは連携されてはいないが、ＡＰ基地局のカバレッジ・エリア内にキャンプしておりかつその他の場合にはマクロ・ネットワークによって到達できないアクセス端末（ＡＴ）を効果的に取り扱うことができるアクセスポイント（ＡＰ）基地局の必要性がある。ここに記述される技法は、ＡＰ基地局経由でマクロ・ネットワークによってビジタＡＴがページ(paged）されうるようにしかつＡＰ基地局経由でマクロ・ネットワークとの接続をビジターＡＴが生じさせることができるようにする技法を提供することによって、このようなビジターＡＴの取り扱いの必要性に対処する。
【００２０】
ＡＰ基地局は、個別の消費者に対して展開され、かつ住宅、アパート、オフィスビル、などに配置されうる。ＡＰ基地局は、許可されたセルラー伝送帯域を利用するＡＰ基地局の範囲内のＡＴと無線で通信することができる。さらに、ＡＰ基地局は、デジタル加入者線（ＤＳＬ、例えば、非対称ＤＳＬ（ＡＤＳＬ）、高データ転送速度ＤＳＬ（ＨＤＳＬ）、超高速ＤＳＬ（ＶＤＳＬ）、等を含む）、インターネットプロトコル（ＩＰ）トラヒックを伴うテレビ・ケーブル、送電線によるブロードバンド（ＢＰＬ）接続、または同様の接続のようなインターネットプロトコル（ＩＰ）接続によってコア・セルラー・ネットワークに接続されうる。ＩＰラインとセルラー・ネットワークの間の接続は直接接続であってもよく、あるいはインターネット経由であってもよい。したがって、ＡＰ基地局は、ＡＴまたはセルラー・ハンドセットにセルラー・サポートを提供し、かつＩＰ接続を通じてマクロ・セルラー・ネットワークにセルラー・トラヒック（例えば音声、データ、ビデオ、オーディオ、インターネットなど）を送る。このメカニズムは、消費者から放送時間コストを省き、そしてネットワーク・プロバイダのセルラー・ネットワーク・トラヒック負荷を低減することができる。また、住宅、オフィスビル、アパートなどの内部のセルラー・カバレッジは、ＡＰ基地局のインプリメンテーションによって大きく改善されうる。
【００２１】
ＡＰ基地局は、複数のＡＴとのセルラー・リンク（例えば、１つまたは複数の許可された無線ネットワーク周波数を利用する無線リンク）を形成することができるが、消費者は、通常、ＡＰ基地局に接続された個人のＩＰ接続によって自分のトラヒックだけが搬送されることを希望する。例えば、消費者は、他のＡＴユーザの使用のためにではなく自分の使用のためにＩＰ帯域幅を保存することを望むことがありうる。その結果、ＡＰ基地局は、一般に、単一のＡＴあるいはグループのＡＴのみに関連しており、そして、そのようなＡＴ（ｓ）に関連したトラヒックは、消費者のＩＰ接続を通じて送られるが、他のＡＴに関連したトラヒックは遮断される。したがって、ＡＰ基地局は加入者に関係なく複数のＡＴと通信することができるが、ＡＰ基地局は、通常、特定の消費者サービス計画に関係していないデバイスおよび／または同種のものを無視するようにプログラムされる。
【００２２】
図１は、種々の開示された実施形態および態様がインプリメントされうる、多くのユーザをサポートするように適合された例示の無線通信システム１００を示している。図１に示されているように、例示として、システム１００は、例えばマクロ・セル１０２ａ−１０２ｇのような複数のセル１０２に対して、対応するＡＰ基地局１０４（ＡＰ基地局１０４ａ−１０４ｇのような）によってサービスされている各セルとの通信を提供する。各セルは、セクターとも呼ばれる１つまたは複数のアンテナ・グループにさらに分割されてもよい。ＡＴｌ０６ａ−ｌ０６ｋを含む種々のＡＴ１０６は、システム１００全体にわたって分散されてもよい。各ＡＴ１０６は、例えば、ＡＴがアクティブであるかどうか、およびそれがソフト・ハンドオフにあるかどうかに応じて、所与の時点で順方向リンクおよび／または逆方向リンク上で１つまたは複数のＡＰ１０４と通信できる。無線通信システム１００は、例えば、大きな地理的な領域にわたってサービスを提供することができ、マクロ・セルｌ０２ａ−１０２ｇは、近隣における少数のブロックをカバーできる。
【００２３】
図２をここで参照すると、無線通信システム２００は、ここに提示される種々の実施形態に従って例示されている。システム２００は、複数のアンテナ・グループを含むことができる基地局２０２を備えている。例えば、１つのアンテナ・グループは、アンテナ２０４および２０６を含むことができ、もう１つのグループは、アンテナ２０８および２１０を含むことができ、そして、さらに他のグループは、アンテナ２１２および２１４を含むことができる。各アンテナ・グループに対して２本のアンテナが示されているが、それより多いまたは少ないアンテナが各グループに対して利用されてもよい。基地局２０２は、発信器チェーンと受信器チェーンを含むことができ、それらのチェーンのそれぞれは、信号送信および受信に関連した複数のコンポーネント（例えば、プロセッサ、変調器、マルチプレクサ、復調器、デマルチプレクサ、アンテナ、等）を備えることができる。基地局２０２は、例えばＡＴ２１６およびＡＴ２２２のような１つまたは複数のＡＴと通信することができる。  図２に示されているように、ＡＴ２１６はアンテナ２１２および２１４と通信しており、そこでは、アンテナ２１２および２１４は順方向リンク２１８を通じてＡＴ２１６に情報を送信し、そして逆方向リンク２２０を通じてＡＴ  ２１６から情報を受信する。さらに、ＡＴ２２２は、アンテナ２０４および２０６と通信しており、そこでは、アンテナ２０４および２０６は順方向リンク２２４を通じてＡＴ２２２に情報を送信し、そして逆方向リンク２２６を通じてＡＴ２２２から情報を受信する。周波数分割複信（ＦＤＤ）システムでは、順方向リンク２１８は、逆方向リンク２２０によって使用されるのとは異なる周波数帯域を利用することができ、また、順方向リンク２２４は、逆方向リンク２２６によって使用されるのとは異なる周波数帯域を使用することができる。さらに、時分割複信（ＴＤＤ）システムでは、順方向リンク２１８と逆方向リンク２２０は、共通の周波数帯域を利用することができ、順方向リンク２２４と逆方向リンク２２６は、共通の周波数帯域を利用することができる。
【００２４】
各グループのアンテナおよび／またはそれらが通信するために指定されるエリアは、基地局２０２のセクターと呼ばれうる。例えば、アンテナ・グループは、基地局２０２によってカバーされたエリアのセクター内のＡＴｓと通信するように設計されうる。順方向リンク２１８および２２４による通信では、基地局２０２の送信アンテナは、ＡＴｓ２１６および２２２のための順方向リンク２１８および２２４のＳＮ比を改善するためにビームフォーミングを利用することができる。また、基地局２０２が関連するカバレッジ内にランダムに散在したＡＴｓ２１６および２２２に送信するためにビームフォーミングを利用するが、それのすべてのＡＴに単一のアンテナによって送信する基地局と比較して、近隣のセル内のＡＴｓはより少ない干渉を受けることになりうる。さらに、ＡＴ２１６および２２２は、１つの例ではピア・ツー・ピアまたはアド・ホック技術を使用して、互いに直接通信することができる。
【００２５】
基地局２０２の同様の機能性は、例えば住宅またはオフィスビルのような小規模位置（smaller scale locations）で展開されうるＡＰ基地局２２８および２３０でインプリメントされうる。前述のように、ＡＰ基地局は、フェムト・セルあるいはホーム・ノードＢ（ＨＮＢ）ユニットとも呼ばれ、ＤＳＬ、ケーブル、Ｔ１／Ｔ３などによる無線サービスプロバイダへの広帯域バックホール・リンクを有することができ、１つまたは複数のＡＴに無線通信サービスを提供することができる。図示のように、ＡＰ基地局２２８は、順方向リンク２３４によって１つまたは複数のＡＴ（ｓ）２３２と通信し、かつ同様に基地局２０２への逆方向リンク２３６によってＡＴ（ｓ）２３２からの通信を受信できる。
【００２６】
１つの例によれば、ＡＰ基地局２３０は、無線サービスアクセスを提供するために展開することができる。ＡＰ基地局２３０は、、無線による（over-the-air）１つまたは複数の異種フェムト・セルあるいはマクロ・セル、等を、広帯域バックホール・リンクを通じて、無線サービスアクセス・プロバイダに接続することができる。展開されるにともなって、ＡＰ基地局２３０は、周囲のフェムト・セル（例えばＡＰ基地局２２８）およびマクロ・セル（例えば基地局２０２あるいはそれのセクター／セル）との干渉を回避するように随意的に自己設定（self-configure）できる。この点では、ＡＰ基地局２３０は、基地局２０２、およびＡＴ         ２１６、２２２および２３２のような異種のＡＰ基地局２２８から信号を受け取ることができる。その信号は、異種のＡＰ基地局２２８のおよび／または基地局２０２によって利用される構成パラメータ（configuration parameters）を決定するためにＡＰ基地局２３０によって利用されうるオーバーヘッド・システム・メッセージでありうる。
【００２７】
構成パラメータ（configuration parameters）は、同様の環境構成に対してＡＰ基地局２３０によって決定することができる。さらに、そのパラメータは、ＡＰ基地局２３０が干渉を緩和するために異なるパラメータを選択するようにするために決定され利用されることができる。これらのパラメータは、例えば、ＡＰ基地局２２８、基地局２０２、および／または実質的に任意の他の周囲送信機に対して、チャネル識別子（例えば符号分割多元接続（ＣＤＭＡ）チャネルＩＤ）、疑似雑音（ＰＮ）オフセット、および／または同様物を含むことができる。ＡＰ基地局２３０は、周囲のフェムト・セルおよびマクロ・セルと干渉しないように、それのチャネル識別子、ＰＮオフセット、等を対応して自己設定することができる。さらに、ＡＰ基地局２３０は、ＡＰ基地局２３０と通信するデバイスに対するハードおよびソフト・ハンドオフを促進するように周囲のフェムト・セルおよびマクロ・セルの隣接リスト（neighbor list）を構築するためにこの情報を利用することができる。ＡＰ基地局２３０は、例えば、タイミング、位置、および／または等を決定するためにＡＰ基地局２２８および／または基地局２０２からＲＦ信号を受信するように適合されうることが注目される。
【００２８】
図３は、ネットワーク環境内でのＡＰ基地局の配備を可能にするための例示的な通信システムを例示している。図３に示されているように、システム３００は、例えば、１つまたは複数のユーザ住宅内のような対応する小規模ネットワーク環境内にそれぞれ設置されている例えばＡＰ基地局３１０，３１２のような複数のＡＰ基地局を含むことができ、そして、関連しているＡＴ３２０、ならびに関連していないＡＴ３２２にサーブするように構成されうる。図３の例示実施形態は２つのＡＰ基地局に３１０と３１２を示しているが、システム３００は、任意の数のＡＰ基地局を含みうることが注目される。さらに、この記載はＡＰ基地局３１０に集中しているが、この記載は、ＡＰ基地局３１２および他の等価物（図示なし）にも適用可能であることが注目される。
【００２９】
ＡＰ基地局３１０は、ＤＳＬルータ、ケーブル・モデム、等を介してインターネット３４０およりマクロ・ネットワーク３５０（マクロ・セル・モバイル・ネットワーク、モバイル・オペレータ・コア・ネットワーク、等とも呼ばれうる）にさらに結合されうる。ここに記載されたある実施形態は３ＧＰＰ用語をするが、それらの実施形態は、第３世代パートナーシップ・プロジェクト（３ＧＰＰ）（Ｒｅ１９９、Ｒｅ１５、Ｒｅ１６、Ｒｅ１７）技術、ならびに３ＧＰＰ２（１ｘＲＴＴ、１ｘＥＶ−Ｄ０、Ｒｅ１０、ＲｅｖＡ、ＲｅｖＢ）技術、およびた他の公知の関連技術に適用されうることが注目される。ここに記述されるそのような実施形態では、ＡＰ基地局３１０の所有者は、例えば、マクロ・ネットワーク３５０を通じて提供される３Ｇモバイル・サービスのようなモバイル・サービスを契約することができる。
【００３０】
ＡＴ３２０は、マクロ・セルラー環境において（例えば、マクロ・ネットワーク３５０に動作的に結合されたマクロ・セル・アクセス３４２を介して）および住宅用の小規模ネットワーク環境において（例えば、ＡＰ基地局３１０および／または３１２を介して）の両方で動作するように適合されうる。したがって、ＡＰ基地局３１０は、任意の既存ＡＴ３２０に対して上位互換性を有しうる。マクロ・ネットワーク３５０に加えて、ＡＴ３２０は、予め定められたまたはそうではない任意の数のＡＰ基地局によって（例えば、対応するユーザ住宅３３０内に存在するＡＰ基地局３１０）によってサーブされることができるが、一般的には、マクロ・ネットワーク３５０に対してソフト・ハンドオーバ状態にはない。
【００３１】
例えば、ビジターＡＴ３２２のような、ＡＰ基地局３１０と関連していないマクロＡＴが、ＡＰ基地局３１０のカバレッジ・エリアに入ると、マクロ・ネットワーク３５０は、他の搬送周波数にビジターＡＴ３２２を向けてもよい。ＡＰ基地局３１０は、マクロ・ネットワーク３５０と同じキャリア・チャネル内で、あるいは、代案では、異なるキャリア・チャネル内で展開されうる。同じチャネル内で展開された場合、ＡＰ基地局３１０のカバレッジ・エリア内のビジターＡＴ３２２は、使用されていない場合には、ＡＰ基地局３１０のカバレッジ・エリア内にキャンプすることができ、その位置の表示をマクロ・ネットワーク３５０に提供しなくてもよい。この期間には、ビジターＡＴ３２２は、マクロ・ネットワーク３５０によって到達することができず、任意の着信ページ（incoming pages）がビジターＡＴ３２２によって見逃される（missed）可能性がある。従って、ビジターＡＴ３２２がページされ(paged)うるようにし、かつ、マクロ・ネットワーク３５０を通じてビジターＡＴ３２２によってマクロ・ネットワーク３５０上のビジターＡＴ３２２によって起こされる接続を可能にするシステムおよび方法をインプリメントすることは有益であろう。
【００３２】
１つの実施形態では、ゾーン・ベース登録は、ビジターＡＴ３２２に対して使用されうる。ＡＰ基地局３１０は、さらにマクロ・ネットワーク３５０とは異なるゾーンに属するように定義されてもよい。ビジターＡＴ３２２がＡＰ基地局３１０のカバレッジ・エリアに入ると、ビジターＡＴ３２２は、ＡＰ基地局３１０に登録することを試みてもよい。ＡＰ基地局３１０は、マクロ・ネットワーク３５０へ登録を転送してもよい。ビジターＡＴ３２２がページされる（paged）必要がある場合、そのページ（page）はＡＰ基地局３１０経由でビジターＡＴ３２２へ転送されてもよい。
【００３３】
例えば、システム識別子／ネットワーク識別子（ＳＩＤ／ＮＩＤ）および／またはモバイル・カントリー・コード／モバイル・ネットワーク・コード（ＭＣＣ／ＭＮＣ）のような識別子を含む予め定められたセットのパラメータが、ビジターＡＴ３２２がアクセス試行を行なわなければならない（例えば、ゾーンまたはサブネットＩＤの変更による登録を行なわなければならない）場合には、ビジターＡＴ３２２がＡＰ基地局３１０のカバレッジ・エリアに入るにつれて、これにより、反復したアクセス試行を生ずる。あるシステム／ネットワークから別のシステム／ネットワークに切り替える場合、そのようなパラメータに変更があるときには、ビジターＡＴ３２２は通常、それが新システムで到達されうることをマクロ・ネットワーク３５０に示すために登録するであろう。
【００３４】
あるいは、ビジターＡＴ３２２がマクロ・ネットワーク３５０のゾーン内にある場合には、マクロ・ネットワーク３５０は、その領域内に存在するＡＰ基地局３１０および／または３１２を通じてビジターＡＴ３２２をページする（page）こともできる。これは、ビジターＡＴ３２２に対して追加の作用を要求せず、そして、ＡＰ基地局３１０は、下記に詳細に記述されるようにページ応答／接続要求に対処できる。
【００３５】
１つの実施形態では、接続要求が受け取られると、ビジターＡＴ３２２は、マクロ・キャリア／セルに対するトラヒック・チャネル割当てを与えられうる。例えば、ＡＰ基地局３１０は、所要のチャネル・リソースを割り付けるために、マクロ・ネットワーク３５０にコンタクトしてもよい。マクロ・ネットワーク３５０は、ＡＰ基地局３１０にチャネル割当て情報を提供してもよく、その情報はＡＰ基地局３１０によってビジターＡＴ３２２へ転送される。ビジターＡＴ３２２は、チャネル割当てを受け取ると、そのチャネル割当てにおいて提供された情報に基づいて、その時点からのマクロ・システムに同調することができる。
【００３６】
この作用は、ビジターＡＴ３２２によってマクロ・ネットワーク３５０に提供されるＲＥＲ（無線環境報告）を転送するためにＡＰ基地局３１０とマクロ・ネットワーク３５０の間のインターフェースを必要としうることが注目される。例えば、ＡＰ基地局３１０は、マクロ・ネットワーク３５０へＲＥＲを送る前に、ＲＥＲからＡＰ基地局３１０に関する情報を取り除いてもよい。例えば、そのＲＥＲ内のＡＰ基地局３１０は、たぶん報告された基準パイロットであろう。ＲＥＲを再フォーマットする場合、ＡＰ基地局３１０は、ビジターＡＴ３２２がＡＰ基地局３１０を基準パイロットとして報告した場合に、新規の基準パイロットを選択し、そしてその選択された基準パイロットに関するＰＮフェーズ（PN phases）を報告しうる。
【００３７】
マクロ・ネットワーク３５０は、サイド・ホール・インターフェイス（side haul interface）を通じて受信されたハード・ハンドオフ要求に類似したこの作用に側面の引っ張りインターフェース上に受け取られた激しいハンドオフ要請に類似したこの作用に対処できることが注目される。マクロ・ネットワーク３５０は、ＡＰ基地局３１０にチャネル割当て情報を提供でき、その情報は、共通のチャネルを通じてビジターＡＴ３２２に送られてもよい。チャネル割当て情報は、マクロ・ネットワーク・パイロットに対するチャネル割当てだけを含んでいてもよい。マクロ・ネットワーク３５０は、ＡＰ基地局３１０が位置するチャネル以外の、他のチャネルを潜在的に選ぶことができ、その結果、それは、ＡＰ基地局３１０の近傍における他のＡＴｓとの干渉問題を回避する。ただし、これは強制されることではなく、ビジターＡＴ３２２がＡＰ基地局３１０と同じチャネル上でチャネル割当てを提供される場合には、他の干渉回避技術を使用することができることが理解されるべきである。
【００３８】
ＡＰ基地局３１０に付加されうる増大された負荷は、付加的な登録およびページング・ｃｈナエル容量を含みうる。ＡＰ基地局３１０は、接続要求情報を送る際にマクロ・ネットワーク３５０と対話し、そして、ＡＰ基地局３１０を経由してビジターＡＴ３２２にマクロ・キャリアのトラヒック・チャネルを転送することができる。
【００３９】
図４は、ＡＰ基地局のカバレッジ・エリア内にキャンプしたビジターＡＴの取り扱いを促進する方法のための１つの実施形態を示している。図４に示されているように、処理ブロック４１０において、ビジターＡＴは、ＡＰ基地局のカバレッジ・エリアを入ること、および、アイドル・モード（idle mode）時にキャリア・チャネル上に存在することを許容される。処理ブロック４１０への１つのアプローチでは、ユニークな位置エリア識別子等がネットワーク内の各ＡＰ基地局に割当てられる。
【００４０】
処理ブロック４２０において、ビジターＡＴがアクティブにある（すなわち、アイドル・モードではなくなる）と、そのビジターＡＴとマクロ・ネットワークとの間の通信は、（ａ）ＡＰ基地局経由でのビジターＡＴへのページ要求の送信および／または（ｂ）ＡＴからマクロ・ネットワークへの接続要求の取り扱いを可能にすることによって促進されうる。処理ブロック４２０への１つのアプローチでは、各ＡＰ基地局は、例えば、所与のＡＰ基地局に対して固有でありかつその所与のＡＰ基地局によって送信または受信されるデータとは通常独立のコードのような最適なスクランブリング・コードで構成されうるか、あるいはさもなければ、そのコードを具備しうる。所与のＡＰ基地局に対するスクランブリング・コードは、擬似雑音（ＰＮ）オフセットとも呼ばれる擬似ランダム・コードまたはオフセットを含みうる。所与のＡＰ基地局に対するスクランブリング・コードは、一般に、そのＡＰ基地局に対して固有である（すなわち、他の近隣ＡＰ基地局に対するスクランブリング・コードおよびマクロ・ネットワークに対するスクランブリング・コードと異なる）。そのスクランブリング・コードは、短いコード（例えば、１６ビットの短いコード）を含むことができ、かつ所与のＡＰ基地局に対して予約された１セットのコードから選ばれてもよい。処理ブロック４３０では、各ＡＰ基地局は、関連するＡＴ（ｓ）に、予約されたスクランブリング・コードのセットを送信するように適合されうる。さらに、各ＡＰ基地局は、関連するＡＴ（ｓ）に１つまたは複数の近隣マクロ・に送るように適合されうる。
【００４１】
ここに記述された実施形態の態様によれば、フェムトおよびマクロ・ネットワークを含むシステム／ネットワークによって選択しかつ通信するようにＡＴがインプリメントすることができるいくつかの技術が提供される。より具体的には、システム選択ループを検知しかつ遮断するための技術が提供され、それは、どのタイプのＡＴがどのタイプのシステム上で動作しているかに一部依存するであろう。
【００４２】
例えば、１つの実施形態では、マクロ・ネットワーク上で動作するフェムトＡＴ（ＦＡＴ）（すなわち、プロビジョニング(provisioning)等を介して、ソフトウェア・アップグレードに基づいて、ＡＰ基地局と関連されうるＡＴ）が提供される。そのようなフェムトＡＴは、それの最も好ましいシステム（すなわち、対応するＡＰ基地局）上にキャンプされることができず、ベター・システム・リセレクション（Better System Reselection (BSR)）アプローチを用いて、その最も好ましいシステムをサーチし続けることができることが注目される。ＢＳＲは、好ましいローミング・リスト（ＰＲＬ）で定義されている最も好ましいシステムではないシステムと関連されたＡＴが、より良好なシステムが利用可能かどうかを決定するために時折走査し、そして、より好ましいシステムが利用可能な場合にそのシステムと関連することを試みる場合のことを指す。
【００４３】
取得エントリー（acquisition entry）では、フェムトＡＴは、特定の帯域およびチャネルのサーチを制限してもよい。フェムトＡＴは、所与の時間間隔（例えば３分ごとに）で最も好ましいシステムをサーチするように適合されうる。好ましいシステムに関連したＡＰ基地局を発見すると、フェムトＡＴはそのＡＰ基地局を選択してもよい。ＳＩＤ／ＮＩＤの変化は、選択されたＡＰ基地局にフェムトＡＴを登録することをに要求してもよいことが注目される。
【００４４】
他の実施形態では、ホーム・フェムトＡＴ（ＨＦＡＴ）（すなわち、現在それの関連するフェムト・セルのカバレッジ内あるフェムトＡＴ）およびゲスト・フェムトＡＴ（ＧＦＡＴ）（すなわち、所与のＡＰ基地局、通常は、フェムトＡＴが動作することを通常は認可されないＡＰ基地局上で動作するための一時的な認可を有するフェムトＡＴ）が提供される。ホーム・フェムトＡＴおよび／またはゲスト・フェムトＡＴは、ホームＡＰ基地局（ＨＡＰＢＳ）（すなわち、所与のＡＴが動作することを認可されたＡＰ基地局）上で動作するように適合されうる。
【００４５】
所与のホームＡＰ基地局に関連した１つまたは複数のＦＡＴが存在しうることが注目される。本実施形態の説明は、ＨＡＢＰＳのカバレッジ・エリア内のＨＦＡＴに焦点を合わせてあるが、ＨＡＢＰＳのカバレッジ・エリア内にキャンプしたＧＦＡＴに適用可能である。ＨＦＡＴとは対照的に、一般的なカテゴリーのＡＴが存在しており、それは、上記で説明されたように、いかなるＡＰ基地局とも関連されていない、または、現在それらの関連したＡＰ基地局のカバレッジ内にないＡＴｓを指す。ビジターＡＴは、ＧＦＡＴ（上に説明された）、エイリアンＡＴ（alien AT）（ＡＦＡＴ）（下記に記述される）あるいはマクロ・フェムトＡＴ（ＭＦＡＴ）（下記に記述される）を含みうる。
【００４６】
ＨＡＢＰＳのカバレッジ・エリア内にキャンプされている場合には、ＨＦＡＴは最も好ましいシステム上にあり、一般にＢＳＲを行なわない。しかし、カバレッジ悪化にともない、ＨＦＡＴは他のものあるいはすべての利用可能なシステムをサーチしうる。１つの実施形態では、ＨＦＡＴは、通常はマクロ・ネットワークである次の利用可能なシステムを見つけるためにＰＲＬの上でエントリーを使用してもよい。
【００４７】
他の実施形態中では、マクロ・ネットワーク・パイロットがＨＡＰＢＳより高い予め設定されたレベル（例えば、３ｄＢ）にある場合、ＨＦＡＴはマクロ・ネットワークへのアイドル・ハンドオフ（idle handoff）を行なうことができる。マクロ・ネットワークが異なるＳＩＤ／ＮＩＤに属するので、ＨＦＡＴは、通常、それがマクロ・ネットワークを入力するとともに登録する。
【００４８】
さらに他の実施形態では、マクロ・ネットワーク上で、エイリアン・フェムトＡＴ（ＡＦＡＴ）（すなわち、動作することを認可されていないＡＰ基地局のカバレッジ内にあるフェムトＡＴ）が提供される。
【００４９】
取得エントリーでは、ＡＦＡＴは、それのサーチを特定の帯域およびチャネルに制限してもよい。ＳＩＤに対するＰＲＬエントリーは、ＡＦＡＴが関連させることになっている特定のＮＩＤ（ｓ）で識別されうることが注目される。ＨＡＰＢＳと同じ帯域およびチャネルで展開されたＡＦＡＴが発見されると、２つのもののうちの一方が、パワー・アップ・シーケンスまたはＢＳＲの一部として生じてもよい。
【００５０】
第１のシナリオでは、ＳＩＤ／ＮＩＤがＰＲＬ内のエントリー（潜在的には、ＨＡＰＢＳを識別するために使用されるエントリー）と合致する場合、ＡＦＡＴは認証に失敗して、他のシステムを見つけるために移動しうる。ＡＦＡＴは、所与の期間（例えば３０秒）、このシステムをブラックリストに載せてもよく、その時間の後で、ＡＦＡＴは、ＳＩＤ／ＮＩＤと関連することを試みてもよい。ＡＦＡＴが上記所与の期間内にＨＡＰＢＳに入ると、ＡＦＡＴは、その所与の期間が経過するまで、ＨＡＰＢＳを取得しない。第２のシナリオでは、ＳＩＤ／ＮＩＤがＰＲＬないエントリーと一致しない場合、ＡＦＡＴは他の利用可能なシステムをサーチし続けうる。シナリオによって、ＡＦＡＴは、それが関連している現在のネットワークの中にとどまってもよいし、あるいは、よいシステムを見つけるために、そのサーチ続けてもよい。
【００５１】
さらに他の実施形態では、マクロのフェムトＡＴ（ＭＦＡＴ）（すなわち、それの関連するＡＰ基地局のカバレッジ内に現在いないフェムトＡＴ）が提供される。ＭＦＡのＰＲＬは、通常、関連しないＡＰ基地局またはエイリアンＡＰ基地局（ＡＡＰＢＳ）（すなわち、所与のＡＴが動作することを認可されていないＡＰ基地局）に対するＳＩＤまたはＮＩＤｓを含んでいない。ＭＦＡＴは、（ａ）マクロ・カバレッジが低下する場合にカバレッジをサーチしている間に、および／または、（ｂ）他のＰＮ走査または近隣ＰＮ走査を行なっている間に、ＡＡＰＢＳを発見しうる。
【００５２】
第１のシナリオでは、ＰＲＥＦ＿ＯＮＬＹフラグがセットされる場合、（すなわち、ＭＦＡＴがそれのＰＲＬ上のネットワーク／システムだけをサーチするのに適した場合）、ＭＦＡＴは、ＡＡＰＢＳを選択しないだろう。それは、ＭＦＡＴが、他の利用可能な（潜在的に、より好ましくない）システムを見つけるために現在のチャネルを去ることになるであろう。第２のシナリオでは、ＰＲＥＦ＿ＯＮＬＹフラグがセットされない場合（すなわち、ＭＦＡＴがそれのＰＲＬの上のネットワーク／システムに限定されていない場合）、ＭＦＡＴはＡＡＰＢＳを取得することを試みうる。ここで、ＭＦＡＴは、ＳＩＤの変化を発見し、そして、ＡＡＰＢＳに対する登録を試みることができる。登録の試みにともない、ＡＡＰＢＳは、それがマクロ・ネットワークに行くことを要求するＳＲＤＭ（サービス再発信メッセージ（Service Redirection Message））メッセージをＭＦＡＴに送ることができる。
【００５３】
再発信アプローチ（redirection approach）とも呼ばれる１つのアプローチでは、ＳＲＤＭは、オーバーラップするマクロ・ネットワークの帯域およびチャネルを含んでもよい。ここで、ＭＦＡＴは別のＳＩＤ／ＮＩＤに再発信されるべきであり、そうでなければ、それはＭＦＡＴが同じチャネルにハッシングバックすることになりうる。ＳＲＤＭを受信すると、ＭＦＡＴは、マクロ・ネットワークを取得することを試みてもよい。
【００５４】
システム再選択とも呼ばれる他のアプローチでは、ＭＦＡＴがＡＡＰＢＳについての認証に失敗すると、ＭＦＡＴは、このチャネル上におけるシステム損失を宣言してもよく、そして、ＰＲＬエントリーに基づいてシステム再選択を行なってもよい。これは、ＭＦＡＴが、エラーに遭遇した場合に、同じチャネルを選択することになり、したがって、ＭＦＡＴは、そのマクロＳＩＤ／ＮＩＤを回避し、かつ他のより好ましさが低いシステムを捜すように適合されうる。他のシステムが利用可能でない場合には、ＭＦＡＴは、パワー・セーブ・モード（すなわち、所与のＡＴが、有効なシステムを見つけることができないことに応答して、スリープ・モードに入り、そして、利用可能なシステムを周期的にチェックする動作モード）に入るように適合されうる。
【００５５】
ここに記述された実施形態の１つまたは複数の態様によれば、ＡＰ基地局のカバレッジ・エリア内にキャンプしたビジターＡを扱う方法が提供される。図５に示されたフローチャートを参照すると、アイドル・モードにある場合に、ビジターＡＴがＡＰ基地局のカバレッジ・エライアに入りかつキャリア・チャネル上に存在できるようにする（ステップ５１０）ことを含みうる方法が提供される。ビジターＡＴは、随意的にマクロ・ネットワークと関連されうる。方法５００は、ビジターＡＴが活性化すると、ビジターＡＴとマクロ・ネットワークの間の通信を促進する（ステップ５２０）ことをさらに含みうる。
【００５６】
ステップ５１０は、マクロ・ネットワークに対応するマクロ・ネットワーク・ゾーンとは異なるＡＰ基地局のためのゾーンを定義することを含みうる。ステップ５１０は、ＡＰ基地局に対するビジターＡＴの登録を可能にし、そして、その登録に関する登録情報をマクロ・ネットワークに転送することを含みうる。
【００５７】
ステップ５２０は、登録情報に少なくとも一部分基づいて、ページング要求をＡＰ基地局を通じてビジターＡＴへ転送することを含みうる。代案として、あるいは追加として、ステップ５２０は、ビジターＡＴから接続要求を受信すること、および、ビジターＡＴから受信した接続要求およびＲＥＲをマクロ・ネットワークに送信することを含みうる。ステップ５２０は、ビジターＡＴに対するマクロ・キャリア・チャネルをさらに含むチャネル割当て情報をマクロ・ネットワークから受信すること、そして、そのチャネル割当て情報をビジターＡＴに転送することをさらに含みうる。ビジターＡＴに対するマクロ・キャリア・チャネルはキャリア・チャネルと異なってもよいことが注目される。図６に示されているフローチャートを参照すると、アイドル・モード時にビジターＡＴがキャリア・チャネル上に存在できるようにすること（ステップ６１０）、マクロ・ネットワークに対応するマクロ・ネットワーク・ゾーンとは異なるＡＰ基地局に対するゾーンを定義すること（ステップ６１５）、そして、ＡＰ基地局に対するビジターＡＴの登録を可能にすること（ステップ６２０）を含みうる方法が提供される。ステップ６３０において、登録に関する登録情報はマクロ・ネットワークへ転送されうる。次に、ステップ６４０において、ビジターＡＴの活性化にともなって、そのビジターＡＴとマクロ・ネットワークの間の通信が促進されうる。
【００５８】
ステップ６４０は、登録情報に少なくとも一部分基づいて、ページング要求をビジターＡＴへ転送することを含みうる。代案として、あるいは追加として、ステップ６４０は、ビジターＡＴからの接続要求を受信したことに応答して、そのビジターＡＴから受信した接続要求をマクロ・ネットワークに送信することを含みうる。ステップ６４０は、マクロ・ネットワークからチャネル割当て情報を受信することをさらに含むことができ、ここにおいて、そのチャネル割当て情報は、ビジターＡＴに対するマクロ・キャリア・チャネルを含む。ステップ６４０は、チャネル割当て情報をビジターＡＴへ転送することをさらに含みうる。
【００５９】
ここに記述された実施形態の１つまたは複数の態様によれば、ＡＰ基地局経由でモバイル・オペレータ・コア・ネットワークと通信する方法が提供され、ここにおいて、ＡＰ基地局は、インターネットによってコア・ネットワークと動作的通信状態にある。図７に示されたフローチャートを参照すると、ＡＰ基地局のカバレッジ・エリアに入ると、アイドル・モード時にキャリア・チャネル上に存在することを試みること（ステップ７１０）を含む方法が提供される。ステップ７２０において、アイドル・モードから活性化モードへ切り替えることに応答して、接続要求がＡＰ基地局へ送られることができ、ここにおいて、ＡＰ基地局はマクロ・ネットワークへ接続要求を転送するように適合される。次に、ステップ７３０では、ＲＥＲはＡＰ基地局へ送信されることができ、ここにおいて、ＡＰ基地局はマクロ・ネットワークへＲＥＲを転送するようにさらに適合される。
【００６０】
方法７００は、ＡＰ基地局経由でマクロ・ネットワークからページング要求を受信することをさらに含みうる。代案として、あるいは追加として、方法７００は、ＡＰ基地局経由でマクロ・ネットワークからチャネル割当て情報を受信することをさらに含みうる。チャネル割当て情報は、キャリア・チャネルとは異なってもよいビジターＡＴに対するマクロ・キャリア・チャネルを含みうる。
【００６１】
ここに記述された実施形態の１つまたは複数の態様によれば、ＡＰ基地局のカバレッジ・エリア内にキャンプするビジターＡＴを取り扱うためのデバイスおよび装置が提供される。図８を参照すると、ＡＰ基地局の制限されたアクセス設定のための例示的な装置８００が提供される。装置８００は、通信端末またはデバイスとして、あるいは通信端末、デバイスまたはＡＰ内で使用するためのプロセッサまたは同様のデバイスとして構成されうることが注目される。
【００６２】
図示のように、装置８００は、例えばマクロ・ネットワークに関連したＡＴのようなビジターＡＴがＡＰ基地局のカバレッジ・エリアに入ること、そして、アイドル・モード時にキャリア・チャネル上に存在することを可能にするための手段８１０を含む。装置８００は、ビジターＡＴの活性化にともないビジターＡＴとマクロ・ネットワークの間の通信を促進する手段８２０を含みうる。
【００６３】
可能にする手段８１０は、マクロ・ネットワークに対応するマクロ・ネットワーク・ゾーンとは異なるＡＰ基地局に対するゾーンを定義するための手段を含みうる。代案として、あるいは追加として、手段８１０は、ＡＰ基地局に対するビジターＡＴの登録を可能にするための手段、および、その登録に関する登録情報をマクロ・ネットワークに転送するための手段を含みうる。
【００６４】
促進する手段８２０は、登録情報に少なくとも一部分基づいて、ＡＰ基地局を通じてページング要求をビジターＡＴに転送するための手段を含みうる。代案として、あるいは追加として、促進する手段８２０は、ビジターＡＴから接続要求を受信するための手段、および、ビジターＡＴから受信された接続要求およびＲＥＲをマクロ・ネットワークに送信するための手段を含みうる。
【００６５】
促進する手段８２０は、マクロ・ネットワークからチャネル割当て情報を得るための手段、および、チャネル割当て情報をビジターＡＴに転送するための手段をさらに含みうる。
【００６６】
図８Ｂに示されているように、促進手段８２０は、登録情報に少なくとも一部分基づいて、ＡＰ基地局を通じてページング要求をビジターＡＴに転送するための手段８２２を含みうる。代案として、あるいは追加として、促進手段８２０は、ビジターＡＴから接続要求を受け取るための手段８２４（８２４）、および、ビジターＡＴから受信された接続要求および無線環境報告をマクロ・ネットワークに送信するための手段８２６を含みうる。促進する手段８２０は、マクロ・ネットワークからチャネル割当て情報を受信するための手段８２８をさらに備えてもよく、そこでは、チャネル割当て情報は、ビジターＡＴのためのマクロ・キャリア・チャネルを含んでもよい。促進する手段８２０は、ビジターＡＴへチャネル割当て情報を転送するための手段８３０をさらに含んでもよい。
【００６７】
図８Ａ−Ｂを参照すると、装置８００は、プロセッサとしてではなくて通信端末として構成された装置８００の場合には、プロセッサ８５０を随意的に含んでいてもよい。プロセッサ８５０は、そのような場合には、バス８０２または同様の通信カップリングを通じて手段８１０、８２０、８２２、８２４、８２６、８２８、８３０に対して動作的通信状態にありうる。プロセッサ８５０は、８１０、８２０、８２２、８２４、８２６、８２８、８３０によって実行されるプロセスまたは機能の開始およびスケジューリングを行うことができる。
【００６８】
また、装置８００は、バス８０２などを介して装置８００の他のコンポーネントに動作的に結合されうる任意のコンピュータ読取り可能媒体またはメモリ装置８６０を含んでもよい。コンピュータ読取り可能媒体またはメモリ装置８６０は、手段８１０、８２０、８２２、８２４、８２６、８２８、８３０、またはプロセッサ８５０（端末として構成された装置８００の場合における）のプロセスおよび動作、あるいはここに開示された方法を行なうためのコンピュータ読取り可能な指示およびデータを格納するように適合されうる。装置８００は、装置８００の他のコンポーネントに効果的に結合されたトランシーバ８７０をも含んでいてもよい。スタンドアローン受信機および／またはスタンドアローン送信機が、トランシーバ８７０に代えてまたはそのトランシーバと併せて使用されてもよい。
【００６９】
図９を参照すると、ＡＰ基地局のカバレッジ・エリア内にキャンプするビジターＡＴを扱うための他の例示的な装置９００が提供される。装置９００は、通信端末またはデバイスとして、あるいはプロセッサまたは通信端末内で使用するための同様のデバイスとして構成されてもよい。
【００７０】
図示のように、装置９００は、アイドル・モード時にビジターＡＴがキャリア・チャネル上で存在できるようにするための手段９１０と、マクロ・ネットワークに対応するマクロ・ネットワーク・ゾーンと異なるＡＰ基地局に対するゾーンを定義するための手段９１５と、そしてビジターＡＴの登録を可能にするための手段９２０を含んでいる。装置９００は、マクロ・ネットワークへの登録に関する登録情報を転送するための手段９３０を含んでいてもよい。装置９００は、ビジターＡＴとの活性化にともなって、ビジターＡＴとマクロ・ネットワークの間の通信を促進するための手段９４０をさらに含んでいてもよい。
【００７１】
促進するための手段９４０は、登録情報に少なくとも一部分基づいてビジターＡＴへのページング要求を転送するための手段を含んでもよい。代案として、または追加として、手段９４０は、ビジターＡＴから接続要求を受信するための手段と、ビジターＡＴから受信された接続要求およびＲＥＲをマクロ・ネットワークに送信するための手段を含んでもよい。手段９４０は、マクロ・ネットワークからチャネル割当て情報を受け取るための手段をさらに具備してもよく、その場合、チャネル割当て情報はビジターＡＴのためのマクロのキャリア・チャネルをさらに具備する。手段９４０は、チャネル割当て情報をビジターＡＴに転送するための手段をさらに具備してもよい。
【００７２】
装置９００は、プロセッサとしてではなく通信端末として構成された装置９００の場合には、プロセッサ９５０を随意的に含んでいてもよい。プロセッサ９５０は、そのような場合には、バス９０２または同様の通信カップリングを経由して手段９１０、９２０、９３０、９４０との動作的通信状態となりうる。プロセッサ９５０は、手段９１０、９２０、９３０、９４０をによって実行されるプロセスまたは機能の開始およびスケジューリングを行なうことができる。
【００７３】
また、装置９００は、バス９０２などによって装置９００の他のコンポーネントに効果的に結合されうるオプションのコンピュータ読取り可能媒体またはメモリ装置９６０を含んでいてもよい。コンピュータ読取り可能媒体またはメモリ装置９６０は、手段９１０、９２０、９３０、９４０またはプロセッサ９５０（端末として構成された装置９００の場合）のプロセスおよび動作、あるいはここに開示された方法を実行するためのコンピュータ読取り可能命令およびデータを格納するように適合されうる。装置９００はまた、装置９００の他のコンポーネントに動作的に結合されたトランシーバ９７０を含んでいてもよい。スタンドアローン受信機および／またはスタンドアローン発信機が、トランシーバ９７に代えてまたはそのトランシーバと併せて使用されてもよい。
【００７４】
ここに記述された実施形態の１つまたは複数の態様によれば、ＡＰ基地局経由でマクロ・ネットワークと通信するためのデバイスおよび装置が提供される。図１０を参照すると、ＡＰ基地局経由でマクロ・ネットワークと通信するための例示的な装置１０００が提供される。装置１０００は、通信端末、デバイスまたはＡＴ内で使用するためのプロセッサまたは同様のデバイスとして構成されうる。
【００７５】
図示のように、装置１０００は、ＡＰ基地局のカバレッジ・エリアの入ると、アイドル・モード時にキャリア・チャネル上で存在するための手段１０１０と、
アイドル・モードから活性化モードへの切替に応答してＡＰ基地局に接続要求を送るための手段１０２０を含んでいる。
【００７６】
ＡＰ基地局は、マクロ・ネットワークに接続要求を転送するように適合されうる。装置１０００は、ＡＰ基地局にＲＥＲを送信するための手段１０３０をさらに含んでいてもよい。ＡＰ基地局は、マクロ・ネットワークにＲＥＲを転送するようにさらに適合されうる。装置１０００は、ＡＰ基地局経由でマクロ・ネットワークからページング要求を受け取るように適合されうる受取り手段１０４０を随意的に含んでいてもよい。代案として、または追加として、受取り手段１０４０は、ＡＰ基地局経由でマクロ・ネットワークからチャネル割当て情報を受け取るように適合されうる。
【００７７】
装置１０００は、プロセッサとしてではなく通信端末として構成された装置１０００の場合には、プロセッサ１０５０を随意的に含んでいてもよい。プロセッサ１０５０は、そのような場合には、バス１００２または同様の通信カップリングを通じて手段１０１０、１０２０、１０３０、１０４０に対して動作的通信状態（operative communication）となりうる。プロセッサ１０５０は、手段１０１０、１０２０、１０３０、１０４０によって実行されうるプロセスまたは機能の開始およびスケジューリングを行なうことができる。
【００７８】
また、装置１０００は、バス１００２等によって装置１０００の他のコンポーネントに効果的に結合されうるオプションのコンピュータ読取り可能媒体またはメモリ装置１０６０を含んでいてもよい。コンピュータ読取り可能媒体またはメモリ装置１０６０は、手段１０１０、１０２０、１０３０、１０４０またはプロセッサ１０５０（端末として構成された装置１０００の場合）のプロセスおよび動作またはここに開示された方法を行なうためのコンピュータ読取り可能命令およびデータを格納するように適合されうる。装置１０００はまた、装置１０００の他のコンポーネントに動作的に結合されたトランシーバー１０７０を含んでいてもよい。スタンドアローン受信機および／またはスタンドアローン送信機が、トランシーバー１０７０に代えてまたはそのトランシーバーと併せて使用されてもよい。
【００７９】
本明細書は、本発明の特別の例について記述しているが、当業者は、発明概念から逸脱することなく、本発明の変更を案出することができる。例えば、ここにおける教示は、回線交換網エレメントを引用するが、パケット交換のドメイン・ネットワーク・エレメントにも等しく適用可能である。「例示的」（"exemplary”）という語は、「例、事例、または例証として機能すること」を意味するためにここでは使用されることが注目される。「例示的」としてここに記述された実施の形態は、他の実施の形態よりも好ましいとかあるは有益であるとは必ずしも解釈されない。
【００８０】
ここに記述された１つまたは複数の態様によれば、記述されるような複数の周囲フェムト・セルおよび／またはマクロ・セルに対する通信パラメータの決定に関して推論がなされうることが認識されるであろう。ここで使用されるように、「推論する」または「推論」という用語は、一般に、事象および／またはデータを介して取得される観察のセットからシステム、環境および／またはユーザの状態について推理するまたはその状態を推論するプロセスを指す。推論は、特定の文脈または行為を識別するために使用することができ、あるいは、例えば、状態に関する確率分布を生成することができる。その推論は、確率的でありうる、すなわち、データおよび事象の考察に基づいた関心のある状態に関する確率分布の計算でありうる。推論はまた、１セットの事象および／またはデータからより高いレベルの事象を構成するために使用される技術を指すことができる。そのような推論は、事象が密接な時間的近接性で相関されているかどうかに関係なく、また事象とデータが１つのまたはいくつかの事象およびデータ源から来たかどうかに関係なく、１つのセットの観察された事象および／または格納された事象データから新しい事象または行為の構成を生ずる。
【００８１】
本願で使用されるように、「コンポーネント」、「モジュール」、「システム」、等の用語は、コンピュータ関連の実体、ハードウェア、ファームウェア、ハードウェアとソフトウェアの組み合わせ、ソフトウェア、または実行中のソフトウェアを指すように意図されている。例えば、１つのコンポーネントは、プロセッサ上で走るプロセス、プロセッサ、オブジェクト、１つの実行可能、実行のスレッド、プログラム、および／または、コンピュータでありうるが、それらであることに限定されない。例示として、計算装置上で作動するアプリケーション、および計算装置は両方ともコンポーネントでありうる。１つまたは複数のコンポーネントが、実行のプロセスおよび／またはスレッド内に存在することができ、そして、１つのコンポーネントが、１台のコンピュータ上に局在されかつ／または２台またはそれより多いコンピュータ間に分配されることができる。さらに、これらのコンポーネントは、種々のデータ構造を格納された種々のコンピュータ読取り可能媒体から実行することができる。それらのコンポーネントは、１つまたは複数のデータ・パケット（例えば、ローカル・システム、分配されたシステムにおいて他のコンポーネントと、および／またはインターネットのようなネットワークにわたって信号により他のシステムと対話する１つのコンポーネントからのデータ）を有する信号に従うようなローカルおよび／または遠隔のプロセスとして通信することができる。
【００８２】
ここに開示されるプロセスにおけるステップの特定の順序または階層は、例示的なアプローチの一例であることが理解される。デザイン好みに基づいて、プロセスにおけるステップの特定の順序または階層は、本開示の範囲内に留まったままで、再編されうることが理解される。添付の方法請求項は、サンプル順序における種々のステップの要素を提示しているが、その提示された特定の順序または階層に限定されるものではない。
【００８３】
当業者は、情報および信号は、種々の異なる技術および技法のうちの任意のものを使用して表示されうるをことを理解するであろう。例えば、上記の説明の全体にわたって参照されうるデータ、命令、コマンド、情報、信号、ビット、シンボルおよびチップは、電圧、流れ、電磁波、磁界または磁気粒子、光学場または粒子のフィールドか、粒子、あるいはそれらの任意の組合せによって表わされてもよい。
【００８４】
当業者は、ここに開示された例に関連して記述された種々の例示の論理ブロック、モジュール、回路、方法およびアルゴリズムが、電子ハードウェア、コンピュータ・ソフトウェア、または両者の組合せとしてインプリメントされうることをさらに認識するであろう。このハードウェアとソフトウェアの互換性を明瞭に例証するために、種々の例示的コンポーネント、ブロック、モジュール、回路、方法およびアルゴリズムが、それらの機能性について一般的に上述された。このような機能性がハードウェアまたはソフトウェアとしてインプリメントさるかどうかは、システム全体に課せられた特定の用途および設計制約に依存する。当業者は、各特定の用途に対して種々の方法で上記の機能性をインプリメントできるが、そのようなインプリメンテーション決定は本発明の範囲からの逸脱を生じさせると解釈されるべきではない。
【００８５】
さらに、種々の実施の形態が、モバイル装置に関連してここに記述される。モバイル装置は、システム、加入者ユニット、加入者局、移動局、移動体、遠隔ステーション、遠隔端末、アクセス端末、ユーザ端末、端末、無線通信装置、ユーザ・エージェント、ユーザ装置、またはユーザ設備（ＵＥ）とも呼ばれうる。モバイル装置は、セルラー電話、コドレス電話、セッション・イニシエーション・プロトコル（ＳＩＰ）電話、ワイヤレス・ローカル・ループ（ＷＬＬ）局、携帯情報端末（ＰＤＡ）、無線接続機能を有するハンドヘルド装置、コンピューティング・デバイス、または無線モデムに接続された他の処理装置でありうる。さらに、種々に実施の形態はが、基地局に関連してここに記述される。基地局は、モバイル装置と通信するために利用することができ、アクセス・ポイント、ノードＢ、発展型ノードＢ（ｅＮｏｄｅ  ＢあるいはｅＮＢ）、基地トランシーバー局（ＢＴＳ）としてあるいは他のある用語で呼ばれうる。
【００８６】
さらに、ここに記述される種々の態様または特徴は、方法、装置、または標準的なプログラミングおよび／またはエンジニアリング技術を使用する方法、装置、または製造物としてインプリメントされうる。ここで使用される「製造物」という用語は、任意のコンピュータ読取り可能装置、キャリアまたは媒体からアクセス可能なコンピュータ・プログラムを包含するように意図される。例えば、コンピュータ読取り可能媒体は、磁気記憶装置（例えば、ハードディスク、フロッピー(登録商標)ディスク、磁気ストリップ、等）、光ディスク（例えば、コンパクト・ディスク（ＣＤ）（ディジタル・バーサタイル・ディスク（ＤＶＤ）、等）、スマート・カード、およびフラッシュメモリ装置（例えば、消去およびプログラム可能読取り専用記憶装置（ＥＰＲＯＭ）、カード、スティック、キー・ドライブ、等）を含みうるが、これらに限定されない。さらに、ここに記述された種々の記憶媒体は、情報を格納するための１つまたは複数のデバイスおよび／または機械読取り可能媒体を表してもよい。「機械読取り可能媒体」という用語は、命令および／またはデータを格納する、含む、および／または搬送することができる無線チャネルおよび種々の他の媒体を、それらに限定されることなしに、含むことができる。
【００８７】
ここに記述された技術は、符号分割多元接続（ＣＤＭＡ）、多重キャリアＣＤＭＡ（ＭＣ−ＣＤＭＡ）、広帯域ＣＤＭＡ（Ｗ−ＣＤＭＡ）、高速パケット・アクセス（ＨＳＰＡ、ＨＳＰＡ＋）、時分割多元接続（ＴＤＭＡ）、周波数分割多元接続（ＦＤＭＡ）、直交周波数分割多元接続（ＯＦＤＭＡ）、シングルキャリア周波数領域多重化（ＳＣ−ＦＤＭＡ）および他の多元接続システム／技術のような種々の無線通信システムに対して使用されうる。「システム」および「ネットワーク」という用語は、互換可能に使用されうる。ＣＤＭＡシステムは、ユニバーサル地上無線アクセス（ＵＴＲＡ）、ＣＤＭＡ２０００、等のような無線技術をインプリメントしてもよい。ＵＴＲＡは、Ｗ−ＣＤＭＡおよび／またはＣＤＭＡの他の変形を含んでもよい。ＣＤＭＡ２０００は、ＩＳ−２０００、ＩＳ−９５およびＩＳ−８５６標準をカバーする。ＴＤＭＡシステムは、グローバル・システム・」フォア・モバイル・コミュニケーションズ（ＧＳＭ）のような無線技術をインプリメントしてもよい。ＯＦＤＭＡシステムは、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等のような無線技術をインプリメントしてもよい。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを使用した近々公開のＵＭＴＳであり、それはダウンリンク上でＯＦＤＭＡを使用し、アップリンク上でＳＣ−ＦＤＭＡを使用する。ＴＲＡ、Ｅ−ＵＴＲＡ、ＵＭＴＳ、ＬＴＥおよびＧＳＭは、「サード・ジェネレーション・パートナーシップ・プロジェクト」（３ＧＰＰ）という名称の組織からの文書に記述されている。ＣＤＭＡ２０００およびＵＭＢは、「サード・ジェネレーション・パートナーシップ・プロジェクト２」（３ＧＰＰ２）という名称の組織からの文書に記述されている。ここに記述された無線通信システムは、例えば、ＩＳ−９５、ｃｄｍａ２０００、ＩＳ−８５６、Ｗ−ＣＤＭＡ、ＴＤ−ＳＣＤＭＡ、等のような１つまたは複数の標準をインプリメントしてもよいことがさらに注目される。
【００８８】
ここに開示された例に関連して記述された種々の例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理装置、個別ゲートまたはトランジスタ・ロジック、個別ハードウェア部品、またはここに記述された機能を実行するように設計されたそれらの任意の組合せでもってオンプリメントまたは実行されうる。汎用プロセッサは、マイクロプロセッサであってもよいが、代案では、そのプロセッサは、任意の従来のプロセッサ、コントローラ、マイクロコントローラあるいはステート・マシンであってもよい。プロセッサはまた、コンピューティング・デバイスの組合せ、例えば、ＤＳＰとマイクロプロセッサとの組合せ、複数のマイクロプロセッサ、ＤＳＰコアと関連した１つまたは複数のマイクロプロセッサ、あるいは任意のたのそのような構成としてインプリメントされてもよい。
【００８９】
ここに示された例に関連して記述された方法またはアルゴリズムは、ハードウェア、プロセッサによって実行されるソフトウェア・モジュール、あるいは両者の組合せとして直接具体化されてもよい。ソフトウェア・モジュールは、ランダムアクセスメモリ（ＲＡＭ）、フラッシュメモリ、読出し専用メモリ（ＲＯＭ）、ＥＰＲＯＭ、電気的消去可能ＰＲＯＭ（ＥＥＰＲＯＭ）、レジスタ、ハードディスク、リムーバブル・ディスク、ＣＤ−ＲＯＭ、または技術的に知られた任意の他の形式の記憶媒体内に存在してもよい。記憶媒体は、プロセッサがその記憶媒体から情報を読出したり、その媒体に情報を書込んだりすることができるように、プロセッサに結合されうる。代案では、記憶媒体は、プロセッサと一体であってもよい。プロセッサと記憶媒体は、ＡＳＩＣ内に存在してもよい。
【００９０】
１つまたは複数の例示的な実施の形態では、記述された機能は、ハードウェア、ソフトウェア、ファームウェアあるいはそれらの任意の組合せにおいてインプリメントされてもよい。ソフトウェアにおいてインプリメントされた場合には、それらの機能は、コンピュータ読取り可能媒体上の１つまたは複数の命令またはコードとして格納されまたは伝送されうる。コンピュータ読取り可能媒体は、１つの場所から他の場所へのコンピュータ・プログラムの転送を促進する任意の媒体を含んだコンピュータ記憶媒体および通信媒体の両方を含んでもよい。記憶媒体は、コンピュータによってアクセスされうる任意の利用可能な媒体であってもよい。制限ではなく例示として、そのようなコンピュータ読取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、あるいはコンピュータによってアクセスされうる命令またはデータ構造の形式の所望のプログラム・コードを搬送または記憶するために使用できる任意の他の媒体を含むことができる。また、任意の接続が、コンピュータ読取り可能媒体と適切に呼ばれる。例えば、ソフトウェアが、同軸ケーブル、光ファイバーケーブル、ツイストペア、デジタル加入者線（ＤＳＬ）あるいは赤外線、無線およびマイクロ波のような無線技術を使用して、ウェブサイト、サーバあるいは他のリモード・ソースから伝送される場合には、同軸ケーブル、光ファイバーケーブル、ツイストペア、ＤＳＬあるいは赤外線、無線およびマイクロ波のような無線技術は、媒体の定義に含まれる。ここで使用されるディスク（diskおよびdisc）は、コンパクト・ディスク（ＣＤ）、レーザ・ディスク、オプティカル・ディスク、デジタル・バーサタイル・ディスク（ＤＶＤ）、フロッピー（登録商標）ディスク、ブルーレイ（登録商標）ディスクを含み、ここでディスク（disks）は通常、データを磁気的に再生し、他方、ディスク（discs）はデータをレーザによって光学的に再生する。上記のものの組合せもコンピュータ読取り可能媒体の範囲に含まるべきである。
【００９１】
開示された例についての前記の説明は、当業者が本発明を実施または使用できるようにするために提供される。これらの例に対する種々の修正が当業者には容易に明らかとるであろう、そして、ここに定義された一般的な原理は、発明の趣旨か範囲から逸脱することなしに他の例にも適用されうる。
【００９２】
したがって、本発明は、ここに示された例に限定されることを意図されておらず、ここに開示された原理および新規な特徴と一致する最も広い範囲を与えられるべきである。
【図１】
2010541483.tif 000003
【図２】
2010541483.tif 000004
【図３】
2010541483.tif 000005
【図４】
2010541483.tif 000006
【図５】
2010541483.tif 000007
【図６】
2010541483.tif 000008
【図７】
2010541483.tif 000009
【図８Ａ】
2010541483.tif 000010
【図８Ｂ】
2010541483.tif 000011
【図９】
2010541483.tif 000012
【図１０】
2010541483.tif 000013
【国際調査報告】
2010541483.tif 000014
2010541483.tif 000015
2010541483.tif 000016